(57)【特許請求の範囲】
【請求項１】
スプレーガンから噴霧される噴霧液を回収する回収液を流す前面を有する液流板と、
前記液流板の下側に設けられ、前記回収液を溜める第１水槽と、
前記液流板の下側から吸い込まれる前記噴霧液を含む気体と前記第１水槽の前記回収液を気液接触させる渦巻き室を形成する渦巻き部と、
前記渦巻き室に前記気体を吸い込むとともに前記第１水槽の前記回収液を巻き上げて、前記気体と前記第１水槽の前記回収液とを前記気液接触させる吸い込み力を発生させる排気ファンと、
前記第１水槽より下側に配置される前記回収液を溜める第２水槽と、
前記渦巻き室から前記排気ファンに至るまでの経路に配置され、前記気体に向けて前記回収液を放出するシャワーノズルを有するシャワー部と、を含み、
前記第１水槽は、所定の水位を超えると前記回収液が流れ出るオーバーフロー部を備え、
前記オーバーフロー部からオーバーフローした前記回収液が前記第２水槽に溜められ、
前記シャワーノズルには、前記第２水槽の前記回収液が供給されることを特徴とする噴霧液回収ブース。
【請求項２】
前記液流板の上側に設けられ、前記液流板の前面に前記回収液を供給するように前記回収液がオーバーフローする第３水槽を備え、
前記第３水槽には、前記第２水槽の前記回収液が供給されることを特徴とする請求項１に記載の噴霧液回収ブース。
【請求項３】
前記第１水槽は、前記オーバーフロー部に設けられ、前記第１水槽の設定水位を調節する水位調節部を備えることを特徴とする請求項１又は請求項２に記載の噴霧液回収ブース。
【請求項４】
前記渦巻き部は、第１水槽の水面に直交する方向への位置調整ができることを特徴とする請求項１から請求項３のいずれか１項に記載の噴霧液回収ブース。
【請求項５】
前記シャワー部には、前記気体の流れ方向に複数の前記シャワーノズルが設けられていることを特徴とする請求項１から請求項４のいずれか１項に記載の噴霧液回収ブース。
【請求項６】
前記シャワー部よりも前記排気ファン側に配置され、気体から液体を分離するエリミネータの設けられたエリミネータ部を備えることを特徴とする請求項１から請求項５のいずれか１項に記載の噴霧液回収ブース。
【請求項７】
前記エリミネータ部には、前記気体の流れ方向に複数のエリミネータが多段に設けられていることを特徴とする請求項６に記載の噴霧液回収ブース。
【発明の詳細な説明】
【技術分野】
【０００１】
本発明は噴霧液回収ブースに関する。
【背景技術】
【０００２】
従来、噴霧塗料の塗料ミストを処理水によって捕集する塗装用ブースに付帯する処理水槽の水位を管理する装置であって、循環する処理水を貯留し給水管を備えた水槽と、該水槽に還流して貯留された処理水の安定した水中に挿入され水位検出用供給空気を送り出す検知パイプと、該検知パイプより排出する空気圧力を検出し、該検出圧力に応答して前記給水管の配管中に設けた制御バルブの開閉を制御する信号を出力する制御装置とからなる塗装ブース処理水槽の水位管理装置が知られている（特許文献１参照）。
【先行技術文献】
【特許文献】
【０００３】
【特許文献１】特開２００４―２５５３５４号公報
【発明の概要】
【発明が解決しようとする課題】
【０００４】
特許文献１に記載の水位管理装置を塗装用ブースに設けることで、簡単に、塗料ミスト（噴霧液）の回収効率が高い状態に塗装用ブース（噴霧液回収ブース）を維持することが可能であるが、動作不良等を起こすと処理水があふれるといった問題がある。
【０００５】
一方で、作業者が水位をチェックし、適切な水位を保つように処理水を補給するようにすれば、動作不良の問題はないものの、作業者の負担が大きくなるという問題がある。
【０００６】
本発明は、このような事情に鑑みてなされたものであり、噴霧液の回収効率が高い状態に水位を保つための作業者負担を軽減することができる噴霧液回収ブースを提供することを目的とする。
【課題を解決するための手段】
【０００７】
本発明は、上記目的を達成するために、以下の構成によって把握される。
（１）本発明の噴霧液回収ブースは、スプレーガンから噴霧される噴霧液を回収する回収液を流す前面を有する液流板と、前記液流板の下側に設けられ、前記回収液を溜める第１水槽と、前記液流板の下側から吸い込まれる前記噴霧液を含む気体と前記第１水槽の前記回収液を気液接触させる渦巻き室を形成する渦巻き部と、前記渦巻き室に前記気体を吸い込むとともに前記第１水槽の前記回収液を巻き上げて、前記気体と前記第１水槽の前記回収液とを前記気液接触させる吸い込み力を発生させる排気ファンと、前記第１水槽より下側に配置される前記回収液を溜める第２水槽と、を含み、前記第１水槽は、所定の水位を超えると前記回収液が流れ出るオーバーフロー部を備え、前記オーバーフロー部からオーバーフローした前記回収液が前記第２水槽に溜められる。
【０００８】
（２）上記（１）の構成において、前記液流板の上側に設けられ、前記液流板の前面に前記回収液を供給するように前記回収液がオーバーフローする第３水槽を備え、前記第３水槽には、前記第２水槽の前記回収液が供給される。
【０００９】
（３）上記（１）又は（２）の構成において、前記第１水槽は、前記オーバーフロー部に設けられ、前記第１水槽の設定水位を調節する水位調節部を備える。
【００１０】
（４）上記（１）から（３）のいずれか１つの構成において、前記渦巻き部は、第１水槽の水面に直交する方向への位置調整ができる。
【００１１】
（５）上記（１）から（４）のいずれか１つの構成において、前記渦巻き室から前記排気ファンに至るまでの経路に配置され、前記気体に向けて前記回収液を放出するシャワーノズルを有するシャワー部を備え、前記シャワーノズルには、前記第２水槽の前記回収液が供給される。
【００１２】
（６）上記（５）の構成において、前記シャワー部には、前記気体の流れ方向に複数の前記シャワーノズルが設けられている。
【００１３】
（７）上記（５）又は（６）の構成において、前記シャワー部よりも前記排気ファン側に配置され、気体から液体を分離するエリミネータの設けられたエリミネータ部を備える。
【００１４】
（８）上記（７）の構成において、前記エリミネータ部には、前記気体の流れ方向に複数のエリミネータが多段に設けられている。
【発明の効果】
【００１５】
本発明によれば、噴霧液の回収効率が高い状態に水位を保つための作業者負担を軽減することができる噴霧液回収ブースを提供することができる。
【図面の簡単な説明】
【００１６】
【図１】本発明に係る実施形態の噴霧液回収ブースの断面図である。
【発明を実施するための形態】
【００１７】
以下、添付図面を参照して、本発明を実施するための形態（以下、実施形態）について詳細に説明する。
【００１８】
図１は本発明に係る実施形態の噴霧液回収ブース１０の断面図である。
噴霧液回収ブース１０は、スプレーガンＳ等から被塗物Ｏに向けて塗料等の噴霧液Ｌが噴霧されたときに、被塗物Ｏに付着できなかった噴霧液Ｌを回収するためのブースである。
【００１９】
このため、図示していないが、被塗物Ｏを囲うように噴霧液回収ブース１０は、被塗物Ｏ側（図右側）に延在する左右側壁及び天井壁等が設けられている。
なお、噴霧液回収ブース１０は、被塗物Ｏ及びスプレーガンＳを含むエリアを密閉するように、噴霧液回収ブース１０から被塗物Ｏ及びスプレーガンＳ側に延在する左右側壁及び天井壁に加え、左右側壁と天井壁で形成される開口部分を塞ぐ入り口側壁を有する場合もある。
【００２０】
噴霧液回収ブース１０は、スプレーガンＳに対向することになる前面を有し、噴霧液Ｌを回収する回収液１５が前面に流される液流板１１を含んでいる。
なお、噴霧液回収ブース１０は、液流板１１の後面側に、液流板１１を前面側の壁面を利用して、排気ファン１２への気体の流れをガイドする下側から上側に向かって延びる１つのダクトＤが形成されており、そのダクトＤの上側に排気ファン１２が取り付けられている。
そして、本実施形態では排気ファン１２によってダクトＤの排気ファン１２直下の静圧が１２００Ｐａ以上１７００Ｐａ以下にされている。
【００２１】
また、噴霧液回収ブース１０は、液流板１１の下側に設けられ、回収液１５を溜める第１水槽１３と、液流板１１の下側に設けられ、液流板１１の下側から吸い込まれる被塗物Ｏに塗着できなかった噴霧液Ｌを含む空気等の気体（矢印Ｗ１参照）と第１水槽１３の回収液１５を気液接触させる渦巻き室１４を液流板１１の後面とによって形成する渦巻き部１４ａと、第１水槽１３より下側に配置される回収液１５を溜める第２水槽１６と、を含んでいる。
【００２２】
さらに、噴霧液回収ブース１０は、液流板１１の上側に設けられ、液流板１１の前面に回収液１５を供給するように回収液１５がオーバーフローする第３水槽１７と、渦巻き室１４から排気ファン１２に至るまでのダクトＤ内の経路上に配置され、渦巻き室１４を通過した気体（矢印Ｗ２参照）に向けて回収液１５を放出するシャワーノズル１８ａが設けられたシャワー部１８と、シャワー部１８よりも排気ファン１２側のダクトＤ内に配置され、シャワー部１８を通過した気体（矢印Ｗ３参照）から液体を分離するエリミネータ１９ａの設けられたエリミネータ部１９と、を備えている。
【００２３】
以下、このような構成からなる噴霧液回収ブース１０の動作等を説明しながら、さらに詳しく構成等についても説明を行う。
回収液１５は、例えば、水や水に凝固剤を添加したものであり、回収液１５の供給元となる第２水槽１６には、蒸発等に伴う回収液１５の減少を見越して十分に余裕を持った水量の回収液１５が貯蓄されている。
【００２４】
この第２水槽１６内には、ポンプＰが設けられており、ポンプＰによって第２水槽１６内の回収液１５は、第１回収液出口Ｐ１ｏｕｔを通じて第３水槽１７に供給されるとともに、第２回収液出口Ｐ２ｏｕｔを通じてシャワーノズル１８ａに送られる。
【００２５】
ポンプＰは、第２水槽１６内の噴霧液回収ブース１０の裏側近くに配置されており、ポンプＰの回収液１５を吸い込む吸い込み口には、回収した噴霧液Ｌの凝固体等がポンプＰに吸い込まれないようにするフィルタＦが設けられており、シャワーノズル１８ａの目詰まり等を抑制するようにしている。
【００２６】
なお、噴霧液回収ブース１０の裏側のポンプＰの少し上方には、フィルタＦの取り換え等の作業が行い易いようにメンテナンス扉３０が設けられている。
このようにメンテナンス扉３０を噴霧液回収ブース１０の裏側に位置させておくと、噴霧液回収ブース１０が稼働しているとき、つまり、噴霧液Ｌを噴霧しているときでも、裏側には噴霧液Ｌがこないため、フィルタＦの詰り具合等の確認を行うことが可能となる。
【００２７】
また、このようにメンテナンス扉３０を噴霧液回収ブース１０の裏側に位置させておくと、噴霧液回収ブース１０が稼働しているときでも、第２水槽１６に回収液１５を継ぎ足すことが可能となる。
【００２８】
そして、ポンプＰによって、第１回収液出口Ｐ１ｏｕｔに供給された回収液１５は、第３水槽１７に供給され、第３水槽１７の回収液１５の水位が上昇すると、オーバーフロー整流板１７ａの表面を伝って回収液１５が液流板１１の前面の上部表面に供給されて、回収液１５は、更に液流板１１の前面の表面上を伝って、下側に流れていく。
【００２９】
なお、限定されるものではないが、本実施形態の噴霧液回収ブース１０には、オーバーフロー整流板１７ａの回収液１５がオーバーフローする側の半分程度の位置までを覆うように、オーバーフロー整流板１７ａの表面から少し離間して配置される飛散防止板２０を設けるようにしており、このようにすることで回収液１５が飛散することなく、オーバーフロー整流板１７ａに沿って流れるようにすることができる。
【００３０】
このように、液流板１１の前面側の表面上に回収液１５を流しておくと、スプレーガンＳから噴霧される噴霧液Ｌのうち、被塗物Ｏに付着せず、直接、液流板１１の前面に吹き付けられるように飛来する噴霧液Ｌは、液流板１１の前面に接触する前に、回収液１５に接触し、回収液１５に捕捉されるため液流板１１の前面に噴霧液Ｌが付着することが避けられる。
【００３１】
そして、液流板１１を伝って下側に流れた回収液１５は、液流板１１の下側に設けられた第１水槽１３に供給される。
ここで、第１水槽１３は、所定の水位を超えると回収液１５が流れ出るオーバーフロー部ＯＦを備えており、第１水槽１３は、このオーバーフロー部ＯＦに設けられた第１水槽１３の設定水位を調節する水位調節部１３ａを備えているので、この水位調節部１３ａを上下に移動させることで水位の設定ができるようになっている。
【００３２】
したがって、液流板１１から回収液１５が供給され続けることで、第１水槽１３は、水位調節部１３ａで設定された設定水位を超える状態となるが、この設定水位を超えた回収液１５がオーバーフロー部ＯＦから流れ出ることで、第１水槽１３の水位は、常に設定された水位に維持される。
【００３３】
また、第１水槽１３側となる液流板１１の下端部は、幅方向（紙面前後方向）に沿って鋸波状になっており、この液流板１１の下端部と第１水槽１３の水面又は渦巻き部１４ａとの間の隙間を通って、噴霧液Ｌを含む空気等の気体が、矢印Ｗ１で示すように、吸い込まれるときに、その気体の吸い込み力で、水面近傍の回収液１５の一部が剥離される。
なお、本実施形態では、液流板１１の下端部近傍を気体の吸い込み方向に少し傾斜させているが、必ずしも傾斜させる必要はなく、ストレート状になっていてもよい。
【００３４】
さらに、渦巻き部１４ａは、吸い込まれた気体が渦巻き状に旋回するようにガイドする曲面を形成するように曲げられていることも相俟って、渦巻き室１４では、水面から剥離された回収液１５及び渦巻き部１４ａに沿って波打つように剥離した回収液１５が巻き上げられた状態となる。
なお、液流板１１の下端部から滴る回収液１５の一部も渦巻き室１４側に吸い込まれることになる。
【００３５】
図示は省略しているが、本実施形態の渦巻き部１４ａは、第１水槽１３に設置される脚部を有しており、この脚部の高さを調節することで、回収液１５の巻き上げ状態や渦巻き室１４での噴霧液Ｌを含む気体及び巻き上げられた回収液１５の渦巻き状態を調節できるようになっている。
つまり、渦巻き部１４ａは、噴霧液Ｌを含む気体と回収液１５との適切な気液接触が行えるように第１水槽１３の水面に直交する方向への位置調整ができるようになっている。
【００３６】
このため、後ほど説明するシャワー部１８を通過する気体の通過風速を適切な状態にするために、排気ファン１２の排風量を変えた場合等、渦巻き室１４の気体の流れ状態に影響するような調整が行われたとしても、渦巻き部１４ａの第１水槽１３の水面に直交する方向への位置調整を行うことで、噴霧液Ｌを含む気体と回収液１５の間での適切な気液接触の状態を実現することができる。
【００３７】
そして、渦巻き室１４では、噴霧液Ｌを含む空気等の気体（矢印Ｗ１参照）と第１水槽１３の回収液１５等との気液接触が効率よく行われ、気体に含まれる噴霧液Ｌが回収液１５に捕捉される。
【００３８】
このように渦巻き室１４での気液接触によって、噴霧液Ｌを捕捉した回収液１５は、再び、第１水槽１３に戻り、第１水槽１３のオーバーフロー部ＯＦから流れ出して第２水槽１６に戻り、ポンプＰ側に流れていくが、凝固剤の効果によって凝固した噴霧液Ｌも、その回収液１５の流れに乗ってポンプＰ側に流れていき、凝固した噴霧液ＬはフィルタＦに捕集されることになる。
【００３９】
ところで、渦巻き部１４ａで効率よく噴霧液Ｌを回収液１５が捕捉できるようにするためには、排気ファン１２によって発生させられる気体の吸い込み力が、渦巻き室１４に気体を吸い込むとともに第１水槽１３の回収液１５を巻き上げる状態になっていることが重要となる。
【００４０】
しかしながら、排気ファン１２の排風量が一定に保たれていたとしても、第１水槽１３の回収液１５の水位が変わると、液流板１１の下端部と第１水槽１３の水面までの距離が変わり、吸込み力が変化して第１水槽１３の回収液１５を良好に巻き上げることができなくなる。
【００４１】
具体的に説明すると、例えば、水位が上がり、液流板１１の下端部と第１水槽１３の水面との間の距離が短くなり、気体を吸い込む開口面積が小さくなりすぎると、気体の十分な吸い込みができなくなるため、排気ファン１２によって発生させられる気体の吸い込み力が弱くなり、渦巻き室１４に気体を吸い込むとともに第１水槽１３の回収液１５を巻き上げる状態が維持できなくなる。
【００４２】
逆に、水位が下がり、開口面積が大きくなりすぎると、吸い込まれる気体の風速が低下することになり、やはり、排気ファン１２によって発生させられる気体の吸い込み力が弱くなり、気体を吸い込むとともに第１水槽１３の回収液１５を巻き上げる状態が維持できなくなる。
【００４３】
このため、排気ファン１２によって発生させられる気体の吸い込み力が、渦巻き室１４に気体を吸い込むとともに第１水槽１３の回収液１５を巻き上げる状態を維持するように、第１水槽１３の水位が適切な水位に管理されていることが、渦巻き室１４での噴霧液Ｌの回収効率の低下をまねかない上で重要となる。
【００４４】
したがって、本実施形態の第１水槽１３の場合、第１水槽１３は、回収液１５がオーバーフローする状態が持続される限り、あらかじめ設定された適切な水位を維持することができるため、作業者は、第１水槽１３がオーバーフローする状態を保つ管理を行えばよいだけである。
【００４５】
つまり、作業者は、第２水槽１６の水位が低下しすぎて、第２水槽１６のポンプＰが回収液１５を送り出すことができなくなる状態が起きないように、第２水槽１６の水位が十分に保たれているように管理するだけでよい。
【００４６】
そして、第２水槽１６は、第２水槽１６から回収液１５が溢れ出ることがない範囲であれば、水位が高くても問題がないため、その管理も、常に十分な水位を確保するようにするだけであるので、作業者負担の少ない管理で済む。
【００４７】
次に、上述のように、渦巻き室１４で噴霧液Ｌが回収液１５に捕捉されて、噴霧液Ｌの含有量が大幅に低減された気体は、矢印Ｗ２で示すように、シャワー部１８でシャワーノズル１８ａからシャワー状に放出される回収液１５と気液接触し、気体に含まれる噴霧液Ｌのほとんどが回収液１５に捕捉される。
【００４８】
ここで、シャワー部１８を見るとわかるように、液流板１１側の一部が壁面Ｈで閉じられることによって、シャワー部１８のダクトＤのサイズが小さくされている。
このため、１５ｍ／ｓｅｃ以上２０ｍ／ｓｅｃ以下とされている渦巻き室１４の気体の通過風速と比較すると、通過風速は遅いものの、シャワー部１８でも、比較的速い通過風速である４ｍ／ｓｅｃ以上７ｍ／ｓｅｃ以下の通過風速が保たれるようになっている。
【００４９】
また、シャワー部１８に設けられるシャワーノズル１８ａは、気体の流れに対向する方向に回収液１５を放出するように配置されており、噴霧液Ｌを含む気体を迎え撃つように回収液１５が放出されるようになっている。
【００５０】
シャワー部１８での通過風速を速めに設定すると、気体の通過時間が短くなるため、一見、噴霧液Ｌの捕捉効率が悪くなるように思われるが、実際には、噴霧液Ｌは微細なミスト状であるため、気体の流れに沿って流れていることから、回収液１５と噴霧液Ｌとの間の相対速度が遅い場合、シャワーノズル１８ａから液滴状に放出される回収液１５を避ける気体の流れに乗って噴霧液Ｌが回収液１５を避けるようになる。
【００５１】
一方、本実施形態のように、噴霧液Ｌを含む気体を迎え撃つように回収液１５を放出し、かつ、シャワー部１８を通過する気体の通過風速が４ｍ／ｓｃｅ以上になるように通過風速を速めにすると、噴霧液Ｌが回収液１５を避けるように流動する前に、回収液１５との衝突が起こるとともに、その衝突力も大きいため回収液１５に噴霧液Ｌを取り込みやすくなるため、噴霧液Ｌの回収率を高めることが可能になる。
【００５２】
しかも、シャワー部１８のダクトＤのサイズを小さくすることによって、そのダクトＤの隅々まで隙間なく、回収液１５を放出しやすくなり、より一層、噴霧液Ｌの回収率を高めることが可能となる。
したがって、単に、シャワー部１８を設ける場合と比較して、噴霧液Ｌの回収率が極めて高いものにすることができる。
【００５３】
なお、シャワー部１８での気体の通過風速が７ｍ／ｓｅｃより速くなると、シャワーノズル１８ａからシャワー状に放出される液滴状の回収液１５が気体の流れによって強く煽られて回収液１５の放出状態が乱されるようになり、噴霧液Ｌの回収効率が低下するおそれがあるため、シャワー部１８は、気体の通過風速が７ｍ／ｓｅｃ以下となるようにされていることが好適である。
【００５４】
このシャワーノズル１８ａから放出された回収液１５もシャワー部１８の下側に設けられた第１水槽１３から延びる傾斜面を伝って第１水槽１３に供給され、その噴霧液Ｌを捕捉した回収液１５は、第１水槽１３のオーバーフロー部ＯＦから流れ出し、再び、第２水槽１６に戻り、凝固剤の効果によって凝固した噴霧液ＬがフィルタＦに捕集されることになる。
【００５５】
ところで、本実施形態では、噴霧液Ｌの捕捉率を高めるために、シャワー部１８には、気体の流れ方向に３段のシャワーノズル１８ａが配置されているが、気体の流れ方向の異なる位置に配置されるシャワーノズル１８ａは、気体の流れ方向にほぼ直交する平面視で重なる位置に配置されている。
つまり、気体の流れ方向での位置が異なるだけで、シャワーノズル１８ａは、水平方向での位置が同じ位置に位置するように配置されている。
【００５６】
なお、図１は側面側から見た断面図であるため、図面上には現れていないが、本実施形態の噴霧液回収ブース１０では、気体の流れ方向での同じ高さ位置ごとに、幅方向（紙面前後方向）に２５０ｍｍピッチで複数（具体的には５つ）のシャワーノズル１８ａが配置されており、そのような状態のシャワーノズル１８ａが水平方向での位置が同じ位置に位置するように３段設けられている。
【００５７】
このように、気体の流れ方向に多段に配置されるシャワーノズル１８ａを水平方向での位置が同じ位置に位置するようにしておくと、最も下側のシャワーノズル１８ａには噴霧液Ｌが付着するが、その下側のシャワーノズル１８ａに隠れるように上側に配置されているシャワーノズル１８ａには噴霧液Ｌが付着し難くなる。
【００５８】
このため、シャワーノズル１８ａに付着した噴霧液Ｌを取り除くメンテナンス作業は、主に、最も下側に配置されているシャワーノズル１８ａに対して行えばよく、メンテナンス作業の手間を大幅に改善することが可能となる。
【００５９】
このようにシャワー部１８を通過した気体は、気体から液体を分離するエリミネータ１９ａの設けられたエリミネータ部１９を通過することになり、気体に含まれる微細な噴霧液Ｌ及び回収液１５等の液体がエリミネータ部１９を通過する過程でエリミネータ１９ａに捕捉され、液滴化して下側に落下することで噴霧液Ｌを含む回収液１５が第１水槽１３に供給される。
【００６０】
エリミネータ部１９での気体の通過風速が速いとエリミネータ１９ａでの回収液１５等の捕捉効率が低下することになるため、本実施形態では、シャワー部１８に比較して、エリミネータ部１９のダクトＤのサイズを大きめにし、エリミネータ部１９を通過する気体の通過速度を２ｍ／ｓｅｃ以上５ｍ／ｓｅｃ以下にしている。
【００６１】
エリミネータ部１９のダクトＤのサイズをより大きくすれば、更に気体の通過風速を遅くすることも可能であるが、そうすると、その分だけ噴霧液回収ブース１０が大型化することになるため、このようなことを考慮すると通過風速は２ｍ／ｓｅｃ以上に設定されることが好ましい。
【００６２】
さらに、通過風速を５ｍ／ｓｅｃ以下とすることでエリミネータ１９ａでの噴霧液Ｌ及び回収液１５等の捕捉効率を高く保つことが可能となる。
また、本実施形態では、エリミネータ１９ａでの噴霧液Ｌ及び回収液１５等の捕捉効率をより一層、高めるために気体の流れ方向にエリミネータ１９ａを二段重ねるように設けている。
【００６３】
そして、エリミネータ部１９を通過した気体（矢印Ｗ４参照）は、噴霧液Ｌ及び回収液１５等が十分に除去されたものとなっており、このように清浄化された気体は、排気ファン１２を通じて外部に放出される（矢印Ｗ５参照）。
【００６４】
ところで、本実施形態の噴霧液回収ブース１０では、はじめに渦巻き室１４で、大幅に噴霧液Ｌを回収しているため、シャワーノズル１８ａのメンテナンス頻度を大幅に削減することが可能であるが、それでもメンテナンスが全く不要となるわけではない。
【００６５】
このため、噴霧液回収ブース１０の裏側のダクトＤを形成する裏側壁には、シャワーノズル１８ａに対応する位置にメンテナンス扉３１を設けるようにしている。
なお、このメンテナンス扉３１は、エリミネータ１９ａに対応する位置までの大きさとしているため、シャワーノズル１８ａ及びエリミネータ１９ａをメンテナンスするためのメンテナンス扉になっている。
【００６６】
ここで、噴霧液Ｌを回収する機能面だけを考えれば、シャワーノズル１８ａ及びエリミネータ１９ａを液流板１１側に寄せるように設け、液流板１１の一部にメンテナンス扉を設けることも可能である。
【００６７】
しかしながら、そうすると、液流板１１に段差等ができやすくなり、そこに噴霧液Ｌが付着し易くなる可能性がある。
一方、本実施形態のように、メンテナンス扉３１を噴霧液回収ブース１０の裏側に設けるようにすることで噴霧液Ｌが付着することを回避することができる。
【００６８】
特に、メンテナンス扉３１の下端がシャワー部１８のシャワーの当たる部分よりも上側に位置するようにしているため、メンテナンス扉３１の内側の部分においても、噴霧液Ｌが回収されてほとんど噴霧液Ｌを含んでいない気体しか接触することがないようになっているので、一層、メンテナンス扉３１に噴霧液Ｌが付着することがないようにできる。
また、メンテナンス性の面をよくするために、本実施形態では、第１水槽１３の底面から第２水槽１６に繋がる排水管３３を設け、排水管３３の途中にバルブ３３ａを設けるようにしている。
このため、第１水槽１３を清掃するときには、このバルブ３３ａを開けるだけで第１水槽１３に溜められている回収液１５を第２水槽１６側に排水することができるようにしている。
【００６９】
以上、具体的な実施形態に基づいて本発明を説明してきたが、本発明は上記実施形態に限定されるものではない。
【００７０】
本実施形態では、渦巻き部１４ａは、図示しない脚部を有し、第１水槽１３の底面に設置するようにしているが、例えば、渦巻き部１４ａの幅方向の端の位置に液流板１１に取り付けるためのアームを設けるようにして、液流板１１に取り付けるようにしてもよい。
【００７１】
また、本実施形態では、シャワーノズル１８ａ及びエリミネータ１９ａを、それぞれ気体の流れる方向に３段及び２段設けるようにしているが、更に段数を増やすようにしてもよく、減らすようにしてもよい。
【００７２】
さらに、第１水槽１３のオーバーフロー部ＯＦからオーバーフローする回収液１５は、傾斜面を伝って第２水槽１６に供給されるようになっているが、このような傾斜面を省略するようにしてもよい。
ただし、傾斜面で緩やかに第２水槽１６に回収液１５を導く方が回収液１５の飛散が発生し難くできる。
加えて、液流板１１の下端部は、液流板１１そのもので構成する必要はなく、液流板１１の下端部用の部品を作製しておき、液流板１１に取り付けるような態様としてもよい。
【００７３】
このように、本発明は上記具体的な実施形態に限定されるものではなく、適宜、変形や改良を施したものも本発明の技術的範囲に含まれるものであり、そのことは、当業者にとって特許請求の範囲の記載から明らかである。
【符号の説明】
【００７４】
１０          噴霧液回収ブース
１１          液流板
１２          排気ファン
１３          第１水槽
１３ａ        水位調節部
１４          渦巻き室
１４ａ        渦巻き部
１５          回収液
１６          第２水槽
１７          第３水槽
１７ａ        オーバーフロー整流板
１８          シャワー部
１８ａ        シャワーノズル
１９          エリミネータ部
１９ａ        エリミネータ
２０          飛散防止板
３０          メンテナンス扉
３１          メンテナンス扉
３３          排水管
３３ａ        バルブ
Ｄ            ダクト
Ｆ            フィルタ
Ｈ            壁面
Ｌ            噴霧液
Ｏ            被塗物
ＯＦ          オーバーフロー部
Ｐ            ポンプ
Ｐ１ｏｕｔ    第１回収液出口
Ｐ２ｏｕｔ    第２回収液出口
Ｓ            スプレーガン
【図１】
0006410365.tif 000002